Podtech/llm-jp-corpus-v4-ja_patent huggingface dataset:
(57)【要約】【課題】  アナログジョイスティックを親指で操作するとき、より正確に操作できるようにしたゲームコントローラを提供する。【解決手段】  アナログジョイスティック（２）の横に、指置き（３）を設けたことを特徴とする。【選択図】図１
2019088744.tif 000002
【特許請求の範囲】
【請求項１】
親指で操作するアナログジョイスティックを持つゲームコントローラにおいて、アナログジョイスティック（２）の横に、アナログジョイスティック（２）を操作する親指の一部を当てるための指置き（３）を持つことを特徴とするゲームコントローラ。
【請求項２】
前記指置き（３）は、アナログジョイスティック（２）の先端（２ａ）と、アナログジョイスティック（２）を操作する親指の付け根（１３ａ）を結んだ直線（４）上にあることを特徴とする請求項１に記載のゲームコントローラ。
【発明の詳細な説明】
【技術分野】
【０００１】  この発明は、アナログジョイスティックの横に指置きを備えたゲームコントローラに関するものである。
【背景技術】
【０００２】  従来のゲームコントローラでは、アナログジョイスティックのスティック部分がゲームコントローラの筐体より突き出ていた（特許文献１参照）。
【先行技術文献】
【特許文献】
【０００３】
【特許文献１】特表２０１５−５０６０１２号公報
【発明の概要】
【発明が解決しようとする課題】
【０００４】  これは、次のような欠点があった。
従来の、片手または両手で保持するゲームコントローラの場合、アナログジョイスティックは保持した手の親指で操作する。ところが、スティック部分が筐体より突き出ていると、親指の先端を空中に持ち上げた状態で操作しなければならない。【０００５】  一般に、人間の体の構造から、体の一部を空中のある１点に静止させることは、何らかの支えなしには難しい。ゲームコントローラの場合でも、親指の先端はアナログジョイスティックのスティック部分に触れているのみで空中にあり、スティックの可倒方向については何の支えもなかった。【０００６】  そのため、従来のゲームコントローラでは、アナログジョイスティックは大雑把に２または３段階にしか傾きを制御することができず、傾きの中間地点で静止させることも困難であった。
本発明は、以上のような欠点をなくすためになされたものである。
【課題を解決するための手段】
【０００７】  アナログジョイスティック（２）の横に、スティックを動かす際の支えとなる突起状の指置き（３）を設ける。
本発明は、以上の構成よりなるゲームコントローラである。
【発明の効果】
【０００８】  指置き（３）に触れながらアナログジョイスティック（２）を操作すると、触れた親指（１２）が指置き（３）上を滑ることになり、滑った量でスティックを倒した量を把握することができる。また、スティックを倒した状態で静止させるためには、指置き（３）に親指（１２）を押し付けることで、指置き（３）が支えとなって親指（１２）を静止させることが容易になる。
【図面の簡単な説明】
【０００９】
【図１】  本発明を施したゲームコントローラの全体図である。
【図２】  本発明の指置きと、アナログジョイスティック及び親指の位置関係を示した図である。
【図３】  本発明の指置きの着脱を説明した図である。
【図４】  スティックが中立状態のときの、親指とスティックの位置関係を示した図である。
【図５】  スティックを左に倒したときの、親指とスティックの位置関係を示した図である。
【図６】  スティックを右に少しだけ倒した時の、親指とスティックの位置関係を示した図である。
【発明を実施するための形態】
【００１０】  以下、本発明を実施するための形態について説明する。
図１は、本発明を実施したゲームコントローラの全体図である。アナログジョイスティック（２）の横に、本発明の指置き（３）を設ける。指置き（３）は、アナログジョイスティック（２）のできるだけ近くで、スティックを倒しても干渉しない位置、かつ、スティックの先端（２ａ）と操作する親指の付け根（１３ａ）を結んだ直線（４）上に設置する。これにより、スティックをどの方向に傾けても、親指の一部を指置き（３）に触れさせることが可能になる。
【００１１】  指置き（３）の高さは、操作者の手の大きさや好みで最適な高さが異なるので、本発明では指置き（３）を着脱式とし、±２ｍｍの範囲で交換できるようにしている。
【００１２】  指置き（３）の形状は、頂部が狭くなった山型で、スティックに面した部分が干渉防止のためにえぐってある。頂部は親指が接する部分で、ここが広すぎると親指に当たった時の感触があいまいになる。頂部の形状は、アナログジョイスティック（２）に対して横方向に広げ、スティックをどの方向に傾けても、親指の一部が触れるようにする。また、指置き（３）は操作中にずれたりすることのないよう、底部が広がった形をしている。
【００１３】  なお、本発明では指置き（３）をネジ（１１）１本で固定できるように、ゲームコントローラ（１）の指置き（３）を取り付ける部分に、指置き（３）の底部と同じ形の凹み（１２）を設けている。これにより、ネジ１本でも指置き（３）がずれたり回転したりしない。
【実施例】
【００１４】  アナログジョイスティック（２）を親指（１３）で操作する様子を、横から見た図を図３〜図５に示す。図３はスティックが中立の位置にある状態で、親指（１３）は指置き（３）に（１４ａ）の位置で接触している。【００１５】  スティックを左に倒すと、図４の状態になる。親指（１３）は、指置き（３）に（１４ｂ）の位置で接触している。スティックを動かす過程で、接触点が（１４ａ）から（１４ｂ）まで変化したことを親指で感じとることができ、スティックの操作量を具体的に把握することができる。【００１６】  スティックを右に倒すと、図５の状態になる。親指（１３）と指置き（３）の接触点は（１４ｃ）に変化する。このケースでは、スティックをほんの少しだけ倒しているため、接触点（１４ｃ）は、スティックが中立状態の場合の（１４ａ）から少しだけ左に移動している。【００１７】  また、この状態でスティックの傾きを維持するには、親指（１３）を指置き（３）に押し付ければ良い。指の変形による微小な傾きの変化は生じるが、接触点（１４ｃ）をずらさない限りスティックが同じ傾きを維持する。
【符号の説明】
【００１８】  １        ゲームコントローラ
２        アナログジョイスティック
２ａ      アナログジョイスティックの先端
３        指置き
４        アナログジョイスティックの先端と親指の付け根を結んだ直線
１１      ネジ
１２      指置き取り付け用の凹み
１３      親指
１３ａ    親指の付け根
１４ａ    親指と指置きの接触点１
１４ｂ    親指と指置きの接触点２
１４ｃ    親指と指置きの接触点３
【図１】
2019088744.tif 000003
【図２】
2019088744.tif 000004
【図３】
2019088744.tif 000005
【図４】
2019088744.tif 000006
【図５】
2019088744.tif 000007
【図６】
2019088744.tif 000008
(57)【要約】      （修正有）【課題】従来の家具転倒防止器具は天井と家具の間に伸縮棒を上下に固定するや、粘着ゴムＴ型固定式は年に３，４回繰り返し洗って使用できる、透明両面粘着ゴム、ワイヤーシステムなど色々と市販されていますが、どれも家具に固定する仕組みである。美観を損なわず、家具の移動をスムーズに行うことが可能な家具転倒防止装置を提供する。【解決手段】地震の所定震度の時に角度調整機から円錐錘が落下し、紐状物４が滑車３，２，１を介して安定板９を前に引き出すことで、家具の底面積を広げるよう設けられている。【選択図】図３
2019088748.tif 000002
【特許請求の範囲】
【請求項１】
家具転倒防止を自動で行う装置で，本考案は角度調整機を設置し円錐錘を上に載せて円錐錘の両端部に紐状物取り付けて他端部を平行板に滑車３，２，１を通り取り付け、地震の所定震度のときに円錐錘を角度調整機より落下のときに紐状物が滑車３，２，１を円錐錘の錘で引き上げて、円錐錘の下がった長さだけ平行板を前に引き出し底辺が変わり家具転倒を防げる装置。
【発明の詳細な説明】
【技術分野】
【０００１】  本発明は、地震の震度により角度調整機から円錐錘が地球の引力で落下して、安定板を前面に引き出し転倒防止する装置。
【背景技術】
【０００２】    従来の家具転倒防止は、転倒防止伸縮棒や転倒防止粘着ゴムがた固定式は（年に３回４回洗って、繰り返し使用可能）転倒ワイヤーシステム、ボールリテーナー式ガイドレール、冷蔵庫ストッパーなど色々と出ています、
現在の家具屋でも家具と天井の間隔に（高さオ―ダー上置）
家具を作り、上置家具は転倒防止策で上置と天井をアンカーボルトで固定する、
食器棚や本棚は幅広く奥行は狭いので家具転倒防止が大いに必要です。
【先行技術文献】
【特許文献】
【０００３】
【特許文献１】特願２００４−１４９７２８
【特許文献２】特願２００３−４１３９３４
【特許文献３】特願２００３−３４８６５１
【発明の概要】
【発明が解決しようとする課題】
【０００４】  何時発生するか分からない地震に対して消耗部品の電気やスプリングバネでは、いざという時に電池切れやスプリングの反発が無くなり使用できなくなる恐れがある、又、家具転倒防止伸縮棒は天板と家具の間に入れ高さを調節して、固定しているため天板の骨材がない場合、地震の揺れで天板に穴を開けてしまつたりと、
うまく機能しない事が多かった、現在の家屋の天板の骨材も少なく、壁も石膏ボードで壁の固定材が少なくなっています、立派な家具の上に補強棒では、美観を損なうし、家具の移動や大掃除も大変です。
【課題を解決するための手段】
【０００５】  現在の家具は二段三段に別れる用に設計されて、運搬や移動には助かりますが水害には速く出来るだけ高い位置に移動したいが、固定器具が設置していると間に合わなくて残念です。本考案であれば二段三段に運べるし固定器具を設置してないから速やかに移動がかなう、本案は角度調整機を設置し円錐錘を上に載せて、地震の所定震度により角度調整機から円錐錘が落下して、円錐錘の両端部に紐状物を取り付、他端部を平行板に取り付ける平行板をスムーズに動かすために底板にナットを埋め込みその上にベアリングの玉を載せて動きを良くした、円錐錘で紐状物が滑車３，２，１と通って平行板を前に引き出す装置、で円錐錘が２２センチ落下すれば平行板も、前面に２２センチ出る仕掛けです、角度調整機は前向きでなく後ろ向きで落下して平行板を上向きで引き出すので少しの物があっても構わない、家具転倒防止装置。
【発明の効果】
【０００６】自力で地震に耐えきる家具転倒防止を備えた装置で移動も簡単で美観もそこなはない。
【図面の簡単な説明】
【０００７】
【図１】
2019088748.tif 000003
【図２】
2019088748.tif 000004
【図３】
2019088748.tif 000005
【図４】安定板の動きをスムーズにするためナットとベアリングの玉
【図５】角度調整機
【図６】円錐錘に紐状物を取り付けた状態
【発明を実施するための形態】
【０００８】  図面を参照して説明します、
【実施例】
【０００９】  図２で説明します、地震の所定震度により角度調整機から円錐錘が、落下して滑車を３、２、１、と紐状物を引き上げる事で安定板を引き出す、使用後は裏の扉を開けて円錐錘を円錐錘置場の上に載せてから前に出た安定板を押し込んで使用できる。
【産業上の利用可能性】
【００１０】  地震に強く水害にも運び出しも、器具を固定してないからスムーズに行える。
【符号の説明】
【００１１】  １      滑車
２      滑車
３      滑車
４      紐状物
５      角度調整
６      円錐錘置場
７      固定ネジ
８      ナットとベアリング
９      安定板
１０      円錐錘
【図１】
2019088748.tif 000006
【図２】
2019088748.tif 000007
【図３】
2019088748.tif 000008
【図４】
2019088748.tif 000009
【図５】
2019088748.tif 000010
【図６】
2019088748.tif 000011
(57)【要約】【課題】従来、袋もの用提げ紐を装着するには提げ紐を袋の穴に通しておいて、袋の中で結び目を作って、残りの紐を切っていた。この方法だと、作業効率が悪かった。提げ紐を通すだけのデザインしかなく、多様性に乏しかった。提げ紐だけでは袋の開口部を閉じることはできなかった。【解決手段】  提げ紐の端を下溝と上溝で固定し、表面板と受け板で袋の上端を跨ぐように連結部を折り曲げて袋に固定する。表面板に意匠を施す事で多様性が生まれる。受け板同士の突起と穴を合わせる事で、袋の開口部を閉じる事ができる。【選択図】図７
2019088747.tif 000002
【特許請求の範囲】
【請求項１】
表面板に、その表面板を固定するための突起を設け、突起の先端部分の幅は突起より長く成型されている。表面板上部方向に受け板があり、その受け板に穴が設けられている。表面板と受け板の間に連結部を設けて、連結部に下溝を設け、下溝の内側に突起が設けられている。下溝の片方の側辺に穴を設け、下溝の他方の側辺に上溝の側辺が繋がって成型されており、上溝が設けられている。上溝の内側にも突起があり、上溝の他方の側辺に突起を設ける。その突起の先端部分の幅は突起より長く成型されている。前記表面板と、受け板と、連結部と、上溝及び下溝を有することを特徴とする提げ紐固定板である。
【請求項２】
請求項１記載の表面板に、意匠を施した提げ紐固定板。
【請求項３】
請求項１記載の受け板に、突起を設け、その突起の幅は突起よりも広く成型され、受け板の突起を設けた面と同一面に穴を設けてなる、提げ紐固定板。
【発明の詳細な説明】
【技術分野】
【０００１】本発明は、袋もの用提げ紐固定に関する物である。
【背景技術】
【０００２】従来、袋もの用提げ紐を装着するには提げ紐を袋の穴に通しておいて、袋の中で結び目を作って、残りの紐を切っていた。提げ紐を通しただけのデザインしか無かった。従来提げ紐では袋の開口部を閉じるためには袋の上端にテープを貼って閉じるか、提げ紐自体にテープを貼って閉じていた。
【発明の概要】
【発明が解決しようとする課題】
【０００３】従来、袋もの用提げ紐を装着するには提げ紐を袋の穴に通しておいて、袋の中で結び目を作って、残りの紐を切っていた。この方法だと、作業効率が悪かった。提げ紐を通すだけのデザインしかなく、多様性に乏しかった。提げ紐だけでは袋の開口部を閉じることはできなかった。
【課題を解決するための手段】
【０００４】表面板にその表面板を固定するための突起を設け、突起の先端部分の幅は突起より長く成型されている。表面板上部方向に受け板があり、その受け板に穴が設けられている。表面板と受け板の間に連結部を設けて、連結部に下溝を設け、その下溝に提げ紐の片方の端を置いて、上溝を提げ紐にかぶせて上溝の突起を下溝の穴に圧入する。提げ紐に固定した袋もの用提げ紐固定板の表面板に設けた突起を、袋に空けた穴へ袋の外側から通して、受け板を袋の上端を跨いで袋の内側で受け板の穴に圧入する。表面板にデザインを施すことにより、多様性を増す。袋の開口部の対辺にある袋もの用提げ紐固定板の受け板の穴に受け板に施した突起を圧入する。
【発明の効果】
【０００５】提げ紐の装着が容易になり、作業効率を飛躍的に向上させる。袋の付加価値を付けることで、袋のデザインに今までにない多様性を持たせる。袋の開口部を閉じる効率を飛躍的に上げる。
【図面の簡単な説明】
【０００６】
【図１】正面図
【図２】平面図
【図３】底面図
【図４】背面図
【図５】右側面図
【図６】左側面図
【図７】装着図
【図８】使用参考図
【発明を実施するための形態】
【０００７】以下、本発明の形態について説明する。
（イ）．表面板１に、その表面板１を固定するための突起２を設け、突起の先端部分３の幅は突起より長く成型されている。表面板１上部方向に受け板４があり、その受け板４に穴５が設けられている。表面板１と受け板４の間に連結部６を設けて、連結部６に下溝７を設け、下溝７の内側に突起８が設けられている。下溝７の片方の側辺に穴９を設け、下溝７の他方の側辺に上溝１０の側辺が繋がって成型されており、上溝１０が設けられている。上溝１０の内側にも突起８があり、上溝１０の他方の側辺に突起１１を設ける。その突起１１の先端部分１２の幅は突起より長く成型されている。
（ロ）．表面板１に、意匠が施されている。
（ハ）．受け板４に突起１３を設け、その突起の先端部分１４の幅は突起よりも広く成型され、受け板の突起１３を設けた面と同一面に穴１５を設けている。
【符号の説明】
【０００８】１    表面板
２    表面板固定の突起
３    表面板固定の突起先端部分
４    受け板
５    表面板固定の突起が入る穴
６    連結部
７    下溝
８    溝の中にある紐を留める突起
９    上溝を固定する穴
１０  上溝
１１  上溝を固定する突起
１２  上溝を固定する突起先端部分
１３  受け板に設けた突起
１４  受け板に設けた突起先端部分
１５  受け板に設けた突起が入る穴
【図１】
2019088747.tif 000003
【図２】
2019088747.tif 000004
【図３】
2019088747.tif 000005
【図４】
2019088747.tif 000006
【図５】
2019088747.tif 000007
【図６】
2019088747.tif 000008
【図７】
2019088747.tif 000009
【図８】
2019088747.tif 000010
(57)【要約】      （修正有）【課題】下半身の寒さを防ぐことができ、ヒートショックによる突然死等の確率を下げることができる洋風便器の便蓋の提供。【解決手段】洋風便器は、便座２の上の蓋部分を、上蓋３と下蓋４に分割し、その間のスペースに膝掛け等の衣料品５を収納し、トイレ使用時にその衣料品５を下半身に掛けて寒さを凌ぐ。【選択図】図１
2019088749.tif 000002
【特許請求の範囲】
【請求項１】
洋風便器の蓋部分を上蓋と下蓋に分割し、上蓋と下蓋の間に膝掛け等の衣料品を収納できるスペースを設けた洋風便器。
【請求項２】
洋風便器の蓋部分を上蓋と下蓋に分割し、上蓋と下蓋の間に膝掛け等の衣料品を収納できるスペースを設け、下蓋に電熱ヒーターを組み込んだ洋風便器。
【発明の詳細な説明】
【技術分野】
【０００１】  本発明は、室内温度の変化に伴う、身体の血圧変動によるヒートショック対策のための洋風便器に関するものである。
【背景技術】
【０００２】  従来、家庭トイレのヒートショック対策としては、室内に暖房器具を設置するか、暖房機能付きの便器を設置するしかなかった。
【発明の概要】
【発明が解決しようとする課題】
【０００３】  従来室内温度の下がる冬期において、家庭のトイレには浴室同様に、ヒートショックによる失神、心筋梗塞、脳梗塞、突然死の恐れがあった。【０００４】  対策として、暖房機の設置等が推奨されているが、トイレは浴室と違い長時間の暖房が必要となり、コスト面から実施にはハードルが高かった。【０００５】  また、たとえ暖房しても、下着を下すと下半身が露出するので、寒さを防ぐのは非常にむずかしかった。
【課題を解決するための手段】
【０００６】  本発明は、便座の上の蓋部分を上蓋と下蓋に分割し、上蓋と下蓋の間に衣料品を収納できるスペースを設ける。
【発明の効果】
【０００７】  本発明の洋風便器は、上蓋と下蓋の間のスペースに膝掛け等の衣料品を収納することができるので、トイレ使用時に衣料品を利用し、下半身の寒さを防ぐことができる。
これにより、トイレの快適性が向上し、ヒートショックによる突然死等の確率を下げることができる。【０００８】  また、便座に暖房機能がある場合は、下蓋が暖められるので、収納されている衣料品も若干暖められる。【０００９】  更に、女性に多いとされる便秘症の人の場合、長時間トイレでいきむことが多いので、本発明により、冬期のトイレリスクを軽減できる。
【図面の簡単な説明】
【００１０】
【図１】  本発明に係る洋風便器の側面図
【発明を実施するための形態】
【００１１】  本発明は、便座２の上の蓋部分を上蓋３と下蓋４に分割し、上蓋３と下蓋４の間に収納スペースを設け、膝掛け等の衣料品５を収納する。
【００１２】  上蓋３と下蓋４は、磁石等により任意に一体構造とし、開閉できるようにしてもよい。
【００１３】  これにより、衣料品５を必要としない、冬期以外や男性の小用時に、２枚の蓋は従来の洋風便器の蓋と同じように１度の操作で開閉できる。
【００１４】  また、衣料品５を確実に温めるために、下蓋４に電熱ヒーターを組み合わせてもよい。
【符号の説明】
【００１５】  １  洋風便器本体
２  便座
３  上蓋
４  下蓋
５  衣料品
【図１】
2019088749.tif 000003
(57)【要約】【課題】本発明の洗濯バサミは、手早く簡単に取りはずしが可能となる。【解決手段】洗濯物の落下防止の為螺旋型のローラーの型状を相対にして逆方向にし、狭力を強力にすれば、洗濯物は落下せず、引く力を加えれば、スムーズな回転により、簡単に取りはずす事が可能となる。スプリングを吊り下げることにより重力で狹力が一層強になる。【選択図】図２
2019088752.tif 000002
【特許請求の範囲】
【請求項１】
１対のつまみと、前記１対のつまみに狹力を生じさせるスプリングを備える洗濯バサミに、おいて前記１対のつまみの洗濯物を狹む部分に螺旋状の刻みを同一の進行方向になるように対向させて有するローラーを付加する事により、狭力が増加し洗濯を落下を防止する洗濯バサミ。
【請求項２】
前記スプリングを吊り下げる事により、重力を生かし一層の強力になる請求項１に対し記載の洗濯バサミ。
【発明の詳細な説明】
【技術分野】
【０００１】洗濯バサミに関する。
【背景技術】
【０００２】洗濯物を干す時に、洗濯物バサミで固定する。
【先行技術文献】
【特許文献】
【０００３】
【特許文献１】
【特許文献２】
【発明の概要】
【発明が解決しようとする課題】
【０００４】従来型と異なるのは、狹む所が強力になり、なおかつ洗濯物を簡単に取りはずす事が可能となる。
【課題を解決するための手段】
【０００５】本発明は上記問題を解決する為に螺旋状の刻みローラーを付加し、スプリングで重力を利用し、狭力を利用し、洗濯物の落下を防止し、及び収納が簡単にできる。
【発明の効果】
【０００６】上記のように従来型の洗濯物バサミにはない、特徴が有り簡単に収納が早くなり、家事への軽減となる。
【図面の簡単な説明】
【０００７】
【図１】上から見た正面図。
【図２】片側からの側面図であり、洗濯バサミの備えるローラーで構成。
【図３】ローラーであり、本発明の核となる。
【発明を実施するための形態】
【０００８】今迄にないてるてる坊主型洗濯バサミは、狭む所が強力になりなおかつ洗濯物を簡単に取りはずす事が可能です。
【実施例】
【０００９】今迄にないてるてる坊主型洗濯バサミはより便利な機能となった画期的な洗濯バサミです。
【産業上の利用可能性】
【００１０】同様の洗濯バサミは市場に流通がなく家事への負担が軽減され、つまにてるてる坊主を付加し、楽しさと子供も興味を持つものである。
【符号の説明】
【００１１】１      吊り部分。
２      螺旋状ローラー。
３      ローラーをカバーし、耐久力を維持する。
４      つまみ。
５      つまみ。
６      てるてる坊主型つまみ。
７      強力スプリングの通過穴。
８      材料の削減部分。
９      強力スプリングの通過穴。
１０    材料の削減部分。
１１    ローラーの受け軸及びカバー。
１２    ローラーの本体。
１３    軸の凸部分になる。
１４    軸の凹部分になる。
１５    ローラーの受け軸。
【図１】
2019088752.tif 000003
【図２】
2019088752.tif 000004
【図３】
2019088752.tif 000005
【手続補正書】
【提出日】平成30年12月17日(2018.12.17)
【手続補正１】
【補正対象書類名】特許請求の範囲
【補正対象項目名】請求項１
【補正方法】変更
【補正の内容】
【請求項１】
一対のつまみと、前記一対のつまみに洗濯物を挟む為の挟力を生じさせるスプリングと、前期一対のつまみの端に取り付けられており、前期洗濯物を挟む為の一対のローラーとをを備える洗濯バサミにおいて、前期一方のローラーには、回転軸に対して、直角に交差する方向に、それぞれ凸部分、凹部分を有し、一方のローラーの凸部分が他方のローラーの凹部分と対向するように取り付けられ、前期凹部分と凹部分で洗濯物を挟む事を特徴とする。
てるてる坊主型洗濯バサミ。
【手続補正２】
【補正対象書類名】特許請求の範囲
【補正対象項目名】請求項２
【補正方法】変更
【補正の内容】
【請求項２】
前期スプリングを吊り下げる事により前期つまみに重力の挟力が働く事を、特徴とする請求項１に記載のてる坊主型洗濯バサミ。
【手続補正３】
【補正対象書類名】明細書
【補正対象項目名】０００５
【補正方法】変更
【補正の内容】
【０００５】本考案は、洗濯物を挟んで固定し、ローラーによって、簡易に洗濯物を引き抜く事が出来る洗濯バサミ、一対のローラーが洗濯バサミの下部に取り付けられており、前期一対の回転軸に対して、直角に交差する方向に、それぞれ凸部分と凹部分を有し、一方のローラーの凸部分、凹部分に対向するように、取り付けられた前期凸部分と凹部分で、洗濯物を挟む事を特徴とするてるてる坊主型洗濯バサミ。
(57)【要約】【課題】  従来身体の背中を洗う場合タオルの両端を両手で持ち、タオルを身体の背後にして両手を左右斜めに動かして、背中の表面をタオルでコスリ洗っているが面倒な動作であり手が不自由な場合背中を洗うことが出来ないという問題がある。【解決手段】  本背中洗い器は上記の課題を解決するための器具でありａ）固定部とｂ）可動部から構成されａ）は垂直に保持された丸棒でｂ）は前記の丸棒の外径よりわずかに大きい内径の丸穴が上下に貫通し両側に持手を備え前面に架台を介してコスリが固定されている治具で同左の丸穴をａ）の丸棒の上端より挿入し治具がａ）丸棒上を上下に滑動して動くようにしたものである。身体の背中部分をコスリに接触させた状態でどちらか一方又は両方の持手を手で持ち上下に動かすと治具を介してコスリが連動して上下に動き背中を洗うことが出来る。コスリが上下に動くので背中の凹部も洗うことが出来る。【選択図】図４
2019088755.tif 000002
【特許請求の範囲】
【請求項１】
垂直に固定した丸棒に内径が前記丸棒の外径よりわずかに大きい丸穴を有する治具を丸穴を介して前記丸棒の上端より挿入し上下に滑動可能に前記丸棒に取り付け前記治具の前面に架台を介してコスリを固定し、左右の両側部に持手を固定した背中洗い器。
【発明の詳細な説明】
【技術分野】
【０００１】  本発明は身体の背中部分を洗う器具に関する。
【背景技術】
【０００２】  従来背中を洗う場合、両手でタオルの両端をつかみタオルを身体の背後に回して背中の表面に接触させた状態で両手を左右上下に動かしてタオルで背中をこすり背中を洗っている。
【発明の概要】
【発明が解決しようとする課題】
【０００３】  両手を背中の後側の位置で動かしづらく背中の表面には凸凹があり洗いづらく手が不自由な場合背中を洗うことは不可能である。【０００４】  本発明は手を身体の背後にせずとも背中を洗え片方の手でも洗えることを目的とする。
【課題を解決するための手段】
【０００５】  本発明において手を身体の背後にすることなく左側又は右側の持手を左手又は右手でつかみ上下に動かすと連動してコスリが上下に動くようにして背中を洗う。
【発明の効果】
【０００６】  手を身体の背後にすることなく片方の手でも背中を洗うことが出来る。コスリが上下に動くので背中の凸部だけでなく凹部も洗うことが出来る。
【図面の簡単な説明】
【０００７】【図１】平面図
【図２】正面図
【図３】右側面図
【図４】概略斜視図
【発明を実施するための形態】
【０００８】  以下本発明の実施の形態を図１〜図４に基づいて説明する。
【０００９】  図においては、垂直丸棒１は横方向支持台２の中央部に垂直に固定され横方向支持台２の片端は縦方向支持台３に固定され、他端は縦方向支持台４に固定されている。
【００１０】  スポンジ又はタワシ等のコスリ７は架台６に固定され架台６は水平状態に治具５の前面に固定され、治具５の両側に持手８と９を架台６に平行に固定する。治具５の中央部に持手８と９に垂直方向で且つ架台６に平行方向に内径が垂直丸棒１の外径よりわずかに大きい上下に貫通する丸穴を備ける。
【００１１】  以下上記構成の動作を説明する。縦方向支持台３と４は垂直丸棒１が前後に傾くのを防ぎ横方向支持台２は垂直丸棒１が横方向に傾くのを防ぐので垂直丸棒１は垂直に保持される。治具５の丸穴を垂直丸棒１に上端より挿入すると治具５の丸穴の内径は垂直丸棒１の外径よりわずかに大きいので治具５は垂直丸棒１上を滑動して上下に動くことが出来る。身体の背中部分をコスリ７に接触させで持手８又は持手９を手で持って上下に動かすコスリ７は連動して上下に動き背中を洗う。又コスリ７は上下に動くので背中の左右に較べて凹んでいる中央部分も洗うことが出来る。
【符号の説明】
【００１２】  １．垂直丸棒  ２．横方向支持台  ３  縦方向支持台  ４  縦方向支持台  ５  治具  ６  架台  ７．コスリ  ８．持手  ９．持手
2019088755.tif 000003
【図３】
2019088755.tif 000004
【図４】
2019088755.tif 000005
【手続補正書】
【提出日】平成30年12月17日(2018.12.17)
【手続補正１】
【補正対象書類名】図面
【補正対象項目名】全図
【補正方法】変更
【補正の内容】
【図１】
2019088755.tif 000006
【図２】
2019088755.tif 000007
【図３】
2019088755.tif 000008
【図４】
2019088755.tif 000009
(57)【要約】【課題】  我国にての供養形態は男女平等化が進む今でも明治の民法特に家制度の慣習がいまた引き継がれてい男尊女卑の風潮を今だに引きづり婦女子にとって、特に嫁いだ女性にては、実の祖父母、両親等の供養が身近に出きず、又折々遠近に係らず手間、暇もかかり失費もかかる、どうしたらそうした事が解消できるか研究模索した。【解決手段】  身近に置いて手を合せる供養物は位牌である、その位牌の台座の形状を思いきってＬ字形状から逆Ｔ字形状にする事で又広くなった台座部に、複数人分の故人の遺骨や愛用した記念物を入れる空間を設ける事で、又戒名板に故人の写真等取り付ける事で大接間や各部屋に置いても違和感のない風格のある置物としの供養の対象物となる置物位牌を提供する。【選択図】図１
2019088754.tif 000002
【特許請求の範囲】
【請求項１】
従来からある仏壇に収納する台座部を有するＬ字形状の位牌の形状を送Ｔ字形にする事による仏壇等、箱物がいらず部屋置きしても違和感もなく風格さえ感じさせる置物位牌。
【請求項２】
広くなった台座部に複類故人の遺骨だけでなく故人の愛用品さえ十分に入る空間を設けた置物位牌。
【発明の詳細な説明】
【技術分野】
【０００１】  元々位牌は台座部を有するＬ字形状の木札であり仏壇（箱物、以下箱物）と相関関係を有する記念板でありその形状を逆Ｔ字形状にする事で箱物のいらない単体として部屋に置く事が出き、又その広くなった台座部に十分な空門を持たせる事で故人となった両親や祖父母、又逆縁となった愛息等心からの供養を望み遺骨はもとより生前故人の愛用したメガネや時計、ペンダント等を収納できる十分な空間を持たせた木製等位牌に関する。
【背景技術】
【０００２】  需教の木簡に由来する位牌は鎌倉時代禅宗によりもたらされ江戸時代に普及し、又明治の３０年代種々発令された民法の中の家制度（家督）により我々庶民にての檀家制度の普及につながり、寺社、墓石、仏壇、位牌の普及を見る事になるのだが制度そのものが江戸時代の嫡子偏重の流れを引きついだもので男尊女卑と言わざろうえない。
【発明が解決しようとする課題】
【０００３】  すでに発令から１２０年程すぎ戦後１９４７年には新民法となり男女平等が進む中今だ供養形態に於いては変わりわない、どうした長女であれ次男であれ四女が平等に故人を心から供養できないか研究模索した。
【課題を解決するための手段】
【０００４】  確かに以前の婚姻形態は終生形であったが男女平等化が進み女性も自己を主張する様になり離婚率は高くなり３０代に於いて特に高く熟年層にても増加しているし成田離婚等という言葉さえ生まれ、又供養形態も大きく様変りしてきている、ＩＴ技術よるバーチャル化された墓参り、ペットにさえ火葬、供養し、逆に送骨という言葉さえ生まれ故人の孤立化も進む昨今だが、一部例外はあるが、総じて我々は長男だろうが末っ子だろうが親の愛情に育まれそだち親となり続いていくいくものであり、嫡子が日本の伝統的な供養形態を守り両親や御先祖様を供養する、これもしかり、同様に嫁き先の女子、バリバリ働くシンクルマザーの方々も箱物のいらない置物であれば部屋のどこえでも置けるし、むしろ木のオブジェとも言っていい工作物であれば嫁ぎ先の夫や御両親にも違和感は持たれない逆Ｔ字の置物であり、お洒落で荘厳である、我々世代では、その対象は両親であるが、若い世代にては祖父母やペットもしかりである
【０００５】  これは個人の供養に対する概念として申し述べる事で、特に婦女子に於いては戒名や院号等に気を向ける必要はないと思う、むしろあの世での名前がつけば黄泉の国に定住してしまい返れなくなるのではと思う、又時の流れが永遠であれば来世、再来世、次の次もあると思うし、その度両親の子として生まれたいと思うのが常である、したがって上部記念板にわ戒名でわなく生前名や愛称、一番望ましい事は遺影がよいと思う、台座内にての故人の有機物、記念物が収納されていれば遺影にも魂も宿り嫁ぎ先の御家族の方々への配慮にもなる。
【発明の効果】
【０００６】  こうした背景から男女、初子、末子を問わずたえず身近に置け、又墓も箱物も入らないので、婦女子等だけでなく、三割を超えるといわれる墓を持てない御家族様にとっても心からの供養ができ、又遠くにあるお寺さんや嫡子の家へ行く手間、費用を省くことにもなる。
【発明の実施するための最良の形態】
【０００７】  今回に関しては専門家にての精密な図面を引いてもらった、したがって仏具系木工所や小物系木工所にても直ぐ作れるがホームセンターにて材料を揃えれば個人にても製作も可能であるが、収納空間が広がった為万全を期すため、専門木工所にお願いした、又火事にても焼失する事もなく、その収納空間の広さから骨壺の役を担い寺社への納骨を省くことにもなる陶製品もやはり図面を引き上部戒名板と底部の空間部フタと台座部に分け、それぞれに型枠図面を引き、又空間部は大きさに合わせた角材を用意した、そうした作製の取組により故人の子供や孫誰でもが身近に置けて心からの供養の出来る木のオブジェともいえ、又火事にて焼失する事もなく骨壺の役さえ担う木製、陶製逆Ｔ字型置物位牌を提供する。
【図面の簡単な説明】
【０００８】
【図１】正面から見た断面図
【図２】正面から見た詳細な図面
【符号の詳細な説明】
【０００９】１  戒名板  ２  板底部収納空間上蓋部  ３  収納空間
４  台座部  ５  台座底部
【図１】
2019088754.tif 000003
【図２】
2019088754.tif 000004
(57)【要約】【課題】便秘の解決策として薬が多く宣伝されている。一方、便秘薬常用の腸管への弊害も指摘されている。又、腸内からの対策に加えて、排便の際に下腹部を外から押すことも奨励されている。が、便秘しがちな高齢者や女性は、腹筋が弱い上に、手の力も強くはない。排便がうまく行かないと便秘が進み、緊急事態を引き起こすことにもなりかねない。【解決手段】柔軟かつ非伸縮性または難伸縮性で、下腹部に作用するに十分な幅と長さで、非伸縮性の締結具を備えた帯を、必要に応じて加圧パッドを挿入し、下腹部に巻いて締め付け、排便のために力んだ時の下腹の膨張を下腹部内部の圧力を高める方向に転換させ、排便をよりたやすくさせる。また、圧力調整と被加圧パッド選択の制御可能な圧力パッドを複数個配置することにより、マッサージによる排便支援や腸管の活性化への期待も有望と考えられる。【選択図】なし【特許請求の範囲】
【請求項１】
柔軟かつ非伸縮性もしくは難伸縮性で、下腹部中央部から上部にかけての領域に作用するに十分な幅と長さの帯で、非伸縮性の締結具を有し、排便時に下腹部に巻いて締め付け、下腹部の膨張に働く力を内部の圧力を高める方向に転換し、自力での排便を容易にすることを特徴とする下腹部加圧ベルト、
【請求項２】
請求項１に加え、伸縮性の締結具を併せて設けておくことにより、本ベルトの常用をも可能にすることを特徴とする下腹部加圧ベルト、
【請求項３】
請求項１の圧力が弱い場合に対して、請求項１および請求項２に加え、ベルトの下腹部内側に、柔軟にして圧縮に耐えられる加圧パッドを収納し、排便時の圧力をさらに強めることを特徴とする下腹部加圧ベルト
【請求項４】
請求項１および請求項２に加え、ベルトの下腹部内側に、空気圧などによる機械的な加圧パッドを設け、下腹部内部の圧力をより一層高めることを特徴とする下腹部加圧ベルト
【請求項５】
請求項４に加え、複数個の加圧パッドを設け、それぞれの選択と圧力をプログラム制御を行うことにより、下腹部マッサージによる排便支援を可能にし、腸管の活性化にも寄与する可能性をも有することを特徴とする下腹部加圧ベルト
【発明の詳細な説明】
【技術分野】
【０００１】この発明は、排便が困難なために便秘が進んで健康被害が出るような事態を予防し、便秘を軽減、または引き起こしにくくするために、排便を容易にする手段を提供する。
【背景技術】
【０００２】従来は、食物繊維を努めて摂ること以外には、軟便化または排泄を促す薬剤の使用が主流であった。が、薬剤の継続的な使用が健康被害を引き起こす懸念も指摘されていた。さらには、排便時に、下腹部を手で押さえて加圧することも推奨されていた。それも、高齢者や女性には、腹筋や手の力が弱い、または弱ってきている人も少なくはなく、効果の程は疑問と言えよう。
【発明が解決しようとする課題】
【０００３】筋肉の弱っている高齢者や筋肉の弱い女性のために、薬剤常用による排便支援の弊害を防ぎ、手の力での加圧に限界がある場合に、腹筋力による下腹部の膨張を内部圧力増加に転換し、自力での排便を容易にすることである。
【課題を解決するための手段】
【０００４】柔軟かつ非伸縮性または難伸縮性の、下腹部に作用させるに十分な幅と長さを持つ帯を下腹部に巻いて締め付け、排便時の力みによる下腹部の膨張を内部圧力の増加に変換し、自力での排便を容易にする。これでも不十分な場合には、柔軟かつ対圧縮力を有する加圧パッドを挿入し、更には、空気圧などの圧力設定可能な機械的な力で加圧することにより、更に強く下腹部内の圧力を高めることが出来、排便をより容易にする。
【発明を実施するための形態】
【０００５】柔軟かつ非伸縮性または難伸縮性の、下腹部に作用させるに十分な幅と長さを持つ帯に、非伸縮性の締結具を設けることにより、また、さらには、伸縮性の締結具を併せて設けておくことにより、伸縮することなく下腹部を加圧することも、例えばコルセットのような、常時着用の伸縮性の器具の効用をも兼ね備えることが可能になる。
【発明の効果】
【０００６】排便時に、下腹部加圧ベルトを着用すれば、力んだ時に、腹筋により下腹部が膨張する力を内部に押し戻すことになる。こうして内部の圧力を増すことになり、腸管を圧迫し、便の排泄がより容易になる。必要な場合のみ使用することにより、習慣化を防げる。また、解決支援手段を持ち合わせていることにより、心理的に安定し、本ベルト着用なしの排便をも可能にする。排便時に腹筋を動作させることは本ベルトを使用しない場合と同じで、個人差はあるが、腹筋の強化にも寄与するのではないかと思われる。又、制御可能な加圧パッドを複数個設けることにより、マッサージによる排便支援を可能にし、腸管の活性化にも寄与することが期待される。
(57)【要約】【課題】自分自身及び、第３者の前髪をハサミ等にて切る場合において、切った髪の毛が目に入る、髪の毛が顔に張り付く、また、散らばった髪の毛の掃除が面倒といった、煩わしさを軽減する前髪カット補助具を提供する。【解決手段】本体に、不織布を用いて顔全体を覆う（１）ことにより、顔に切った髪の毛が張り付くことを防ぎ、目の部分に透明なフィルム（２）を用いることにより視界を確保し、下端部を外側に折り返す（３）ことにより、カットした髪の毛受けを設け、本体側面より後頭部に向かい両側に付けたベルト（４）を、頭のサイズに合わせ面ファスナーで固定（５）することを特徴とした前髪カット補助具である。【選択図】図１
2019088739.tif 000002
【特許請求の範囲】
【請求項１】
通気性の良い本体生地の、目の部分にフィルムを設け視界を確保し、下端部を外側に折り返すことにより、切った髪の毛を受け止める、前髪を切る時に便利な補助具。
【発明の詳細な説明】
【技術分野】
【０００１】自分自身及び、第３者の前髪をハサミ等にて切る場合において、切った髪の毛が目に入る、髪の毛が顔に張り付く、また、散らばった髪の毛の掃除が面倒といった複数の煩わしさを一度に軽減するものである。
【背景技術】
【０００２】従来の商品は、目に髪の毛が入らないように保護する器具、髪の毛が落ちて散らばらないようケープのようにかぶって受け止める器具というように、機能は単独であった。
【先行技術文献】
【特許文献】
【０００３】
【特許文献１】特開２０１６−０７３４８２
【特許文献２】特開２００７−０２９６９７
【発明の概要】
【発明が解決しようとする課題】
【０００４】これまでは、次のような課題があった。
イ、目に入らないよう髪の毛を持ち上げて切ると、下した時にイメージと長さが違ってしまう。
ロ、髪の毛が目に入らないよう目をつぶると、真っ直ぐ切ることが難しい。
ハ、突然動き出す子供の目の近くに、ハサミなどを直接近づけるのが怖い。
ニ、切った髪の毛が顔に付いてしまうと、なかなか取れない。
ホ、切った髪の毛が散らばると、掃除に時間がかかり、手間である。
【課題を解決するための手段】
【０００５】本体に、不織布を用いて顔全体を覆う（１）ことにより、顔に切った髪の毛が張り付くことを防ぐ。
目の部分には素材を変え、透明なフィルムにする（２）ことにより視界を確保する。
下端部を外側に折り返す（３）ことにより、カットした髪の毛受けを形成する。
本体の顔をカバーする部分より、後頭部に向かい両側にベルト部（４）を設け、頭のサイズに合わせ面ファスナーで固定（５）する。
【発明の効果】
【０００６】本体を、通気性の良い不織布を用いることにより、顔全体を覆っても快適に、かつ、目の部分のフィルムが曇ることを防ぐ効果がある。
素材が薄いため、顔と高さを変えずに髪の毛を切ることができる。
目を開けたまま前髪を切ることが可能なため、第三者が切る時にも安心感がある。
子供の前髪を切る際にも、不織布、フィルムをはさむことにより、直接ハサミ等が肌に触れず安心である。
ベルト部分の面ファスナーに幅をもたせることにより、サイズ調整が容易である。
下端部を折り返して髪受けを設けることにより、髪の毛が散らばらず、また、安価な素材で形成することにより、使い捨てが可能になり清潔である。
【図面の簡単な説明】
【０００７】
【図１】本発明の側面図である。
【図２】本発明の正面図である。
【発明を実施するための形態】
【０００８】以下、本発明を実施するための形態について説明する。
顔全体を覆う本体（１）を形成する不織布の、目にあたる部分に透明フィルム（２）を付け視界を確保し、下端部を外側に折り返す（３）ことによりカットした髪の毛を受け止める。
本体側面より、後頭部に向かい両側にベルト（４）を設け、頭のサイズに合わせ面ファスナーで固定（５）する。
本発明は、以上のような構造である。
これを使用するときは、本体を顔と前髪の間に差し入れ、側面のベルトを両面から後頭部に回し、面ファスナーで固定し、透明フィルムの目の位置を合わせ、下端部の折り返しを広げ、前髪を切ればよい。
【符号の説明】
【０００９】（１）本体
（２）透明フィルム
（３）外側へ折り返し
（４）側面ベルト
（５）面ファスナー
【図１】
2019088739.tif 000003
【図２】
2019088739.tif 000004
(57)【要約】      （修正有）【課題】冷蔵庫へ多くの食器類を出し入れする場合に平盆を左手で支え、右手で出し入れしているのを片手で出来るようにするとともに、折り畳式棚を装着できるような装置を提供する。【解決手段】冷蔵庫側面１に折り畳み出来る棚を装着し、平盆を棚に載せて片手で出来るようにする。また、折り畳み式棚２と冷蔵庫を単体の物として製作し、必要に応じ冷蔵庫側面１に折り畳式棚２を取りつけたり、取り外したり出来る装置を予め冷蔵庫へ備えておく。【選択図】図１
2019088737.tif 000002
【特許請求の範囲】
【請求項１】
冷蔵庫側面１に食器類を出し入れするときに使用する折り畳み式棚２を装着する。
【請求項２】
冷蔵庫側面に折り畳み式棚２を取りつけたり、取り外したり出来る装置を予め備えた冷蔵庫
【発明の詳細な説明】
【発明の概要】
【０００１】  本案は冷蔵庫側面１へ折り畳式棚２を装着し、食器類を出し入れするときに使用するものである。
【発明が解決しようとする課題】
【０００２】  冷蔵庫へ多くの食器類を出し入れする場合、複数回扉を開閉して出し入れする場合や、多くの食器を載せる平盆を片手に持って、他の片手で出し入れしているのが通常である。
【発明の効果】
【０００３】  本案では、冷蔵庫側面１に装着した折り畳式棚２に平盆を載せて、食器類を片手で出し入れ出来るようにしたものである。【０００４】  使用しない場合は、冷蔵庫側面１に折り畳んで通常の冷蔵庫と略同様空間を保つように図ったものである。【０００５】  側面の余裕幅が取れなくなった場合などには、取着け板４から、折り畳式棚の装着板３を取り外すように図ったものである。
【特に考慮したこと】
【０００６】  冷蔵庫と折り畳式棚２とは個別の単体とし、必要に応じ取り付け、取り外し出来るよう予め取り付け板４を冷蔵庫側板に装着しておくようにしたものである。
【図面の簡単な説明】
【０００７】
【図１】  折り畳式棚を装着した冷蔵庫の斜視図
【図２】  折り畳式棚を冷蔵庫に装着した断面の一例
【符号の説明】
【０００８】  １  冷蔵庫側面
２  折り畳式棚
３  折り畳式棚の装着板
４  冷蔵庫側板に内蔵された取り付け板
５  冷蔵庫側面の断面
【図１】
2019088737.tif 000003
【図２】
2019088737.tif 000004
(57)【要約】      （修正有）【課題】固定発電子のコイルの輪の中を回転界磁子が周回することで起電力を高めた発電装置を提供する。【解決手段】回転界磁子を他律回転（歯車伝動）させて、固定発電子と回転界磁子との位置関係を常に最接近状態にした。円管を曲げて丸輪状にした外輪の中に、同じく、円管を曲げて丸輪状にした中輪を嵌め込み、且つ、外輪と中輪との間に玉を嵌め込んでベアリング構造にする。外輪に開口部を設ける。外輪の円周に開口部を避けてコイルを巻き付け円形コイルにする。この外輪を固定発電子とする。中輪の円周に従車歯車の歯を施し、又、中輪に磁石を取り付ける。この中輪を回転界磁子とする。外輪の開口部を通して従車歯車の歯に外部動力の原車歯車の歯を噛み合わせる。この原車歯車を動力伝達子とする。【選択図】図１
2019088178.tif 000002
【特許請求の範囲】
【請求項１】
円管を曲げて丸輪状にした外輪に開口部を設け、この開口部を避けて、前記外輪の円周にコイルを巻き付けて円形コイルに仕上げて発電機構として形成した固定発電子と、
同じく、円管を曲げて丸輪状にした中輪の円周に従車歯車の歯を施し、又、この中輪に磁石を取り付け、この中輪を前記外輪の中に嵌め込み、入れ子状にすると共に、この中輪と前記外輪との間の接触面に玉を嵌め込んでベアリング構造にして電磁機構として形成した回転界磁子と、
前記外輪の開口部を通して前記中輪の従車歯車の歯に外部動力の原車歯車の歯を噛み合わせて前記回転界磁子の動力機構として形成した動力伝達子と、
で構成する円形コイル発電装置。
【請求項２】
外レースと内レースを嵌め合わせたベアリングの外レースの円周に従車歯車の歯を施し、又、この外レースに磁石を取り付けて電磁機構として形成した回転界磁子と、
同じく、外レースと内レースを嵌め合わせたベアリングの内レースを支えにして、この内レースと前記外レースを包み込むように、前記外レースの従車歯車の歯に触れないように、一部に隙間を開け、前記外レースの円周にコイルを巻き付けて円形コイルに仕上げて発電機構として形成した固定発電子と、
前記外レースに巻かれたコイルの隙間を縫って前記外レースの従車歯車の歯に外部動力の原車歯車の歯を噛み合わせて前記回転界磁子の動力機構として形成した動力伝達子と、
で構成する円形コイル発電装置。
【発明の詳細な説明】
【技術分野】
【０００１】  この発明は発電機の固定発電子及び回転界磁子の構造の改良に関るもので、起電力を高めることを目的に、円形コイルに仕上げたコイルの輪の中を、磁石を通すことを主眼としている。
【背景技術】、【０００２】  従来、発電機は回転界磁子が固定発電子の傍を周回していた。
【先行技術文献】
【技術文献】
【０００３】  なし
【発明の概要】
【発明が解決しようとする課題】
【０００４】  回転界磁子が回転軸を持って自律回転するが故に、回転界磁子は固定発電子との交差を避けて固定発電子の傍を通らざるを得ない。回転界磁子は固定発電子に接近と離反の繰り返しで、固定発電子が受ける磁束の量に多寡が生じ起電力が十分に出し切れていない。
【課題を解決するための手段】
【０００５】  従来は磁石がコイルの傍を通るのに対して、この発明は磁石をコイルの輪の中を通すことことにした。その要点は、回転界磁子が回転軸を持たないで、外部動力で他律回転（歯車伝動）することで、固定発電子と交差することなく、コイルの輪の中を通ることを可能にし、常時、固定発電子に最接近状態を保ち、無駄なく磁束を捉え発電効率化を図った。【０００６】（手段その１）  円管を曲げて丸輪状にした外輪の中に、同じく、円管を曲げて丸輪状にした中輪を嵌め込み、且つ、外輪と中輪との間に玉を嵌め込んでベアリング構造にする。外輪に開口部を設け、外輪の円周に開口部を避けてコイルを巻き付けて円形コイルにする。この外輪を固定発電子とする。中輪の円周に従車歯車の歯を施し、又、この中輪に磁石を取り付ける。この中輪を回転界磁子とする。外輪の開口部を通して中輪の従車歯車の歯に外部動力の原車歯車の歯を噛み合わせる。この原車歯車を動力伝達子とする。
（手段その２）  ベアリングを活用する。ベアリングの外レースを回転界磁子、内レースを固定発電子に仕立てる。外レースの円周に従車歯車の歯を施し、又、この外レースに磁石を取り付ける。内レースを支えにして、内レースと外レースを包み込むように、外レースの従車歯車の歯に触れないように、一部に隙間を開け、外レースの円周にコイルを巻き付けて円形コイルにする。外レースに巻かれたコイルの隙間を縫って外レースの従車歯車の歯に外部動力の原車歯車の歯を噛み合わせる。この原車歯車を動力伝達子とする。
【発明の効果】
【０００７】  固定発電子コイルの輪の大きさに比例して発電子コイルの巻数も多くなり固定発電子が受ける磁束量が増える。磁力の干渉（逆磁場）が小さく且つ回転界磁子の輪の大きさに伴ってフライホイール効果も加わり回転界磁子を回す動力が軽減される。装置が簡易で大型化して大量の発電が可能である。
【図面の簡単な説明】
【０００８】
【図１】は請求項１の平面図である。
【発明を実施するための最良の形態】
【０００９】  動力伝達子の動力形態は多々あるが、エコ発電として、水力を利用する。この発明の装置を複数組、多段階に段差を付けて設置する。高所から山河川水等をパイプで落流させる。パイプに水車を直列に配置し、その水力で動かす。水力発電所等の使用済み排水又は里山の田園水車程度の水流で十分機能する。
【実施例】
【００１０】  簡易方法としてベアリングを活用する。外レースを拡張して装置を比較的に大型化することが出来る。
【図１】
2019088178.tif 000003